(57)【要約】【解決手段】放射用光ファイバ１−１と変換用軸ずれ型コリメータレンズ２−１との光軸、及び案内用軸ずれ型コリメータレンズ（２−２〜２−５）と該案内用軸ずれ型コリメータレンズに対応する受光用光ファイバ（１−２〜１−５）との光軸が一致したときに位置決め用光ファイバ（１−６、１−７）と位置決め用コリメータレンズ（３−１、３−２）との光軸が一致する位置に配置される。【効果】位置決め用光ファイバ（１−６、１−７）の反射光のピーク値を得ることによって分波ユニットとファイバアレイユニットとの接合面の平行が保証され、且つ、両ユニット同士の位置決めを精度よく行うことができる。【選択図】　　　　図１
2004085860.tif 000002
【特許請求の範囲】
【請求項１】
波長の異なる複数の光波からなる球面波を放射する光放射用光ファイバ及び該光ファイバと平行に配されて前記球面波の各波長毎に分波されたそれぞれの光波を受光するための複数の受光用光ファイバを有するファイバアレイユニットと、
前記光放射用光ファイバの先端部と対向して該ファイバから放射される球面波を受光して該球面波を平行波に変換して所定の角度で出射する光変換用軸ずれ型コリメータレンズと、前記平行波に含まれる前記各波長の光波の内の波長の異なるいずれか１つの光波をそれぞれ選択的に反射させ、残りの光波を透過させる複数のＷＤＭ（波長分割多重）フィルタと、前記各受光用光ファイバの先端部とそれぞれ対向し、前記各ＷＤＭフィルタにより反射させた各光波の内の波長の異なるいずれか１つの光波をそれぞれ受光して集光し前記各受光用光ファイバへ案内する複数の案内用軸ずれ型コリメータレンズを含む分波ユニットとを備える波長分割多重通信用光分波器であって、
前記ファイバアレイユニットに前記光放射用光ファイバと平行に配され、外部より光量測定のための所定波長の光波が入射される位置決め用光ファイバと、
前記分波ユニットに前記位置決め用光ファイバの先端部と対向して配され、該位置決め用光ファイバから出射される光量測定用光波である球面波と同一の光軸を有し、該球面波を受光して平行波に変換する位置決め用コリメータレンズと、
前記分波ユニットに設けられ、前記位置決め用コリメータレンズより出射された前記平行波を前記位置決め用光ファイバに光量測定のために戻すべく前記位置決め用コリメータレンズに向けて反射させる反射部とを含むユニット位置決め調整部を、更に備えることを特徴とする波長分割多重通信用光分波器。
【請求項２】
前記反射部は前記各ＷＤＭフィルタの内の少なくとも１つであることを特徴とする請求項１に記載の波長分割多重通信用光分波器。
【請求項３】
前記ユニット位置決め調整部を複数設けたことを特徴とする請求項１に記載の波長分割多重通信用光分波器。
【請求項４】
波長の異なる複数の光波からなる球面波を放射する光放射用光ファイバ及び該光ファイバと平行に配されて前記球面波の各波長毎に分波されたそれぞれの光波を受光するための複数の受光用光ファイバを有するファイバアレイユニットと、
前記光放射用光ファイバの先端部と対向して該ファイバから放射される球面波を受光して該球面波を平行波に変換して所定の角度で出射する光変換用軸ずれ型コリメータレンズと、前記平行波に含まれる前記各波長の光波の内の波長の異なるいずれか１つの光波をそれぞれ選択的に反射させ、残りの光波を透過させる複数のＷＤＭ（波長分割多重）フィルタと、前記各受光用光ファイバの先端部とそれぞれ対向し、前記各ＷＤＭフィルタにより反射させた各光波の内の波長の異なるいずれか１つの光波をそれぞれ受光して集光し前記各受光用光ファイバへ案内する複数の案内用軸ずれ型コリメータレンズを含む分波ユニットとを相互に接合して波長分割多重通信用光分波器を製造する方法であって、
前記ファイバアレイユニットと前記分波ユニットとを接合するために対向配置し、
前記ファイバアレイユニットに前記光放射用光ファイバと平行に配した位置決め用光ファイバに、外部より光量測定のための所定波長の光波を供給し、
前記分波ユニットに前記位置決め用光ファイバの先端部と対向して設けた位置決め用コリメータレンズにより、前記位置決め用光ファイバから出射された光量測定用光波である球面波を平行波に変換すると共に、
前記位置決め用コリメータレンズより出射された前記平行波を前記分波ユニットに設けた反射部により前記位置決め用コリメータレンズに反射し、
該位置決め用コリメータレンズにより受光した反射光を集光して前記位置決め用光ファイバに戻し、戻した該反射光の光量を測定し、前記ファイバアレイユニットと前記分波ユニットとの接合の位置決めを行うことを特徴とする波長分割多重通信用光分波器の製造方法。
【請求項５】
前記反射部は前記各ＷＤＭフィルタの内の少なくとも１つであることを特徴とする請求項４に記載の波長分割多重通信用光分波器の製造方法。
【請求項６】
前記ファイバアレイユニットと前記分波ユニットとの接合の位置決めを複数箇所で行うことを特徴とする請求項４に記載の波長分割多重通信用光分波器の製造方法。
【請求項７】
個々に波長の異なる単一波長の光波からなる球面波を放射する複数の光放射用光ファイバ及び該光ファイバと平行に配されて波長の異なる前記各単一波長の光波を複数合波して受光するための受光用光ファイバを有するファイバアレイユニットと、
前記各光放射用光ファイバの先端部とそれぞれ対向して該各ファイバから放射されるそれぞれ波長の異なる単一波長の光波である球面波を受光して該球面波をそれぞれ平行波に変換して所定の角度で出射する複数の光変換用軸ずれ型コリメータレンズと、前記各単一波長の平行波の内の波長の異なるいずれか１つの平行波をそれぞれ選択的に反射させ、他の異なる波長の平行波を透過させる複数のＷＤＭ（波長分割多重）フィルタと、前記受光用光ファイバの先端部と対向し、前記各ＷＤＭフィルタにより反射され合波された合波光を受光して集光し前記受光用光ファイバへ案内する案内用軸ずれ型コリメータレンズを含む合波ユニットとを備える波長分割多重通信用光合波器であって、
前記ファイバアレイユニットに前記各光放射用光ファイバと平行に配され、外部より光量測定のための所定波長の光波が入射される位置決め用光ファイバと、
前記合波ユニットに前記位置決め用光ファイバの先端部と対向して配され、該位置決め用光ファイバから出射される光量測定用光波である球面波と同一の光軸を有して該球面波を受光して平行波に変換する位置決め用コリメータレンズと、
前記合波ユニットに設けられ、前記平行波を前記位置決め用光ファイバに光量測定のために戻すべく前記位置決め用コリメータレンズに反射する反射部とを含むユニット位置決め調整部を、更に備えることを特徴とする波長分割多重通信用光合波器。
【請求項８】
前記反射部は前記各ＷＤＭフィルタの内の少なくとも１つであることを特徴とする請求項７に記載の波長分割多重通信用光合波器。
【請求項９】
前記ユニット位置決め調整部を複数設けたことを特徴とする請求項７に記載の波長分割多重通信用光合波器。
【請求項１０】
個々に波長の異なる単一波長の光波からなる球面波を放射する複数の光放射用光ファイバ及び該光ファイバと平行に配されて波長の異なる前記各単一波長の光波が複数合波された合波光を受光するための受光用光ファイバを有するファイバアレイユニットと、
前記各光放射用光ファイバの先端部とそれぞれ対向して該各ファイバから放射されるそれぞれ波長の異なる単一波長の光波である球面波を受光して該球面波をそれぞれ平行波に変換して所定の角度で出射する複数の光変換用軸ずれ型コリメータレンズと、前記各単一波長の平行波の内の波長の異なるいずれか１つの平行波をそれぞれ選択的に反射させ、他の異なる波長の平行波を透過させる複数のＷＤＭ（波長分割多重）フィルタと、前記受光用光ファイバの先端部と対向し、前記各ＷＤＭフィルタにより反射され合波された合波光を受光して集光し前記受光用光ファイバへ案内する案内用軸ずれ型コリメータレンズを含む合波ユニットとを相互に接合して波長分割多重通信用光合波器を製造する方法であって、
前記ファイバアレイユニットと前記合波ユニットとを接合するために対向配置し、
前記ファイバアレイユニットに前記各光放射用光ファイバと平行に配した位置決め用光ファイバに、外部より光量測定のための所定波長の光波を供給し、
前記合波ユニットに前記位置決め用光ファイバの先端部と対向して設けられた位置決め用コリメータレンズにより、前記位置決め用光ファイバから出射された光量測定用光波である球面波を受光して平行波に変換して出射すると共に、
前記合波ユニットに設けられた反射部により前記平行波を前記位置決め用コリメータレンズに反射し、
該位置決め用コリメータレンズにより受光した反射光を集光して前記位置決め用光ファイバに戻し、該戻した反射光の光量を測定し、前記ファイバアレイユニットと前記合波ユニットとの接合の位置決めを行うことを特徴とする波長分割多重通信用光合波器の製造方法。
【請求項１１】
前記反射部は前記各ＷＤＭフィルタの内の少なくとも１つであることを特徴とする請求項１０に記載の波長分割多重通信用光合波器の製造方法。
【請求項１２】
前記ファイバアレイユニットと前記分波ユニットとの接合の位置決めを複数箇所で行うことを特徴とする請求項１０に記載の波長分割多重通信用光合波器の製造方法。
【発明の詳細な説明】
【０００１】
【発明の属する技術分野】
本発明は、波長分割多重通信に用いられる波長分割多重通信用光分波器、光合波器、及びそれらの製造方法に関する。
【０００２】
【従来の技術】
近年光ファイバ通信の発展はめざましく、その回線数は急激に増大しつつある。この傾向は、公衆回線網はもとより、同じビル内や比較的短距離の間隔に配置されているコンピュータネットワークの分野においても顕著になっている。ＷＤＭ（波長分割多重）が、その有効な解決策として注目を集めている。このＷＤＭでは、送信側からシングルモード（一例）光ファイバ中にＮ個の異なる波長の光波が合波して送られてくる。受信側では、受光した合波光をＮ個の異なる波長の光波に分波する。その結果、単一波長の場合に比較して光ファイバ中に送られてくる情報量は、Ｎ倍に増加する。
【０００３】
このＷＤＭでは、Ｎ個の異なる波長の光波を分波又は合波するための波長分割多重通信用光分波器及び光合波器が不可欠になってくる。波長分割多重通信用光分波器及び光合波器には、優れた分波、合波特性が求められるのは当然のこととして安価であることが特に求められている。従来の波長分割多重通信用光分波合波器の一例について図を用いて説明する。
【０００４】
図３は、従来の波長分割多重通信用光分波合波器の構成図である。この分波合波器は、分波器あるいは合波器として利用可能であるが、ここでは、分波器として用いた場合について説明する。
光ファイバ１−１の先端のコア部から波長λ１、λ２、λ３、λ４の４波からなる合波光が、球面波７−１となって放射される。この球面波７−１は、軸ずれ型コリメータレンズ２−１でコリメートされ平行波８になる。この平行波８中の波長λ１の光波は、ＷＤＭフィルタ（λ１）４−１によって反射され、軸ずれ型コリメータレンズ２−２によって集光される。更に、光ファイバ１−２の先端のコア部に入射され分岐される。
【０００５】
波長λ２、λ３、λ４の３波からなる合波光はＷＤＭフィルタ（λ１）４−１を透過する。この合波光中の波長λ２の光波は、ＷＤＭフィルタ（λ２）４−２によって反射され、軸ずれ型コリメータレンズ２−３によって集光される。更に、光ファイバ１−３の先端のコア部に入射され分岐される。以下同様にして、ＷＤＭフィルタ（λ３）４−３、ＷＤＭフィルタ（λ４）４−４によりそれぞれ反射された波長λ３、λ４の光波が光ファイバ１−４の先端のコア部、１−５の先端のコア部に各々入射され分岐される。
【０００６】
このような波長分割多重通信用光分波合波器は、ＭＴコネクタと整合可能な２５０ミクロンピッチのレンズアレイを用いることで、光学系全体をコンパクトに構成できる。又製作にあたっては、軸ずれ型レンズアレイ（分波ユニット）とファイバアレイとの間のアライメントが実行される。この従来のアライメントでは、任意の一つの光路が選択される。この光路に所定の光波を入射させ、光ファイバに結合して出射される光量をアクティブにモニタしながらアライメントする。そして光量がピークになる位置を接合位置として接合していた。
【０００７】
【発明が解決しようとする課題】
図２は、位置合わせにおける主な問題点説明図である。
図２は、ファイバアレイユニット２０と分波ユニット３０との位置合わせにおける主な不都合点を強調して表した図である。
従来技術で既に説明したように、波長分割多重通信用光分波器の製造にあたっては、ファイバアレイユニット２０と分波ユニット３０との間の位置合わせが実行される。この位置合わせでは、任意の一つの光路が選択される。例えば図２のように光ファイバ１−１、軸ずれ型コリメータレンズ２−１、ＷＤＭフィルタ（λ４）４−４、軸ずれ型コリメータレンズ２−５、光ファイバ１−５を通る光路が選択される。
【０００８】
この光路に光ファイバ１−１の先端のコア部へ波長λ４の光波を入射する。このときに光ファイバ１−５に接続する受光器（図示せず）で、ファイバアレイユニット２０と分波ユニット３０との間の位置を微調整しながら出射される光量を測定する。そして光量がピークになる位置を接合位置として接合する。
【０００９】
ところが、分波ユニット３０に使用されているレンズが上記のように軸ずれ型コリメータレンズなので、本来平行であるべき筈の分波ユニット３０と、ファイバアレイユニット２０との接合面が若干、角度（θ度）を有して接合されても上記出射光量のピーク点を得ることが可能になる。
【００１０】
しかし、接合面が若干（θ度）平行からずれているため、軸ずれ型コリメータレンズ２−２、２−３、２−４、２−５の光束の中心位置が、Ｙ方向にそれぞれ移動する。この移動量が各軸ずれ型コリメータレンズ毎に異なる。その結果、光ファイバ１−２、１−３、１−４、１−５の端面における集光点のＹ方向での位置ずれ量も各光ファイバ毎に異なってくる。この理由は、各々の軸ずれ型コリメータレンズを通る光路長が元々異なるためである。
【００１１】
よって、上記光ファイバ１−１、軸ずれ型コリメータレンズ２−１、ＷＤＭフィルタ（λ４）４−４、軸ずれ型コリメータレンズ２−５、光ファイバ１−５を通る光路の位置微調整をしても、他の光路、例えば、光ファイバ１−１、軸ずれ型コリメータレンズ２−１、ＷＤＭフィルタ（λ１）４−１、軸ずれ型コリメータレンズ２−２、光ファイバ１−２を通る光路の位置微調整を実行したことにはならない。その結果、位置合わせ時に選択された光路以外の他の光路の挿入損失が大きくなってしまうことが生じるという大きな問題点が残されていた。
【００１２】
【課題を解決するための手段】
本発明は以上の点を解決するため次の構成を採用する。
〈構成１〉
波長の異なる複数の光波からなる球面波を放射する光放射用光ファイバ及び該光ファイバと平行に配されて上記球面波の各波長毎に分波されたそれぞれの光波を受光するための複数の受光用光ファイバを有するファイバアレイユニットと、上記光放射用光ファイバの先端部と対向して該ファイバから放射される球面波を受光して該球面波を平行波に変換して所定の角度で出射する光変換用軸ずれ型コリメータレンズと、上記平行波に含まれる上記各波長の光波の内の波長の異なるいずれか１つの光波をそれぞれ選択的に反射させ、残りの光波を透過させる複数のＷＤＭ（波長分割多重）フィルタと、上記各受光用光ファイバの先端部とそれぞれ対向し、上記各ＷＤＭフィルタにより反射させた各光波の内の波長の異なるいずれか１つの光波をそれぞれ受光して集光し上記各受光用光ファイバへ案内する複数の案内用軸ずれ型コリメータレンズを含む分波ユニットとを備える波長分割多重通信用光分波器であって、上記ファイバアレイユニットに上記光放射用光ファイバと平行に配され、外部より光量測定のための所定波長の光波が入射される位置決め用光ファイバと、上記分波ユニットに上記位置決め用光ファイバの先端部と対向して配され、該位置決め用光ファイバから出射される光量測定用光波である球面波と同一の光軸を有し、該球面波を受光して平行波に変換する位置決め用コリメータレンズと、上記分波ユニットに設けられ、上記位置決め用コリメータレンズより出射された上記平行波を上記位置決め用光ファイバに光量測定のために戻すべく上記位置決め用コリメータレンズに向けて反射させる反射部とを含むユニット位置決め調整部を、更に備えることを特徴とする。
【００１３】
〈構成２〉
構成１に記載の波長分割多重通信用光分波器において、上記反射部は上記各ＷＤＭフィルタの内の少なくとも１つであることを特徴とする。
【００１４】
〈構成３〉
構成１に記載の波長分割多重通信用光分波器において、上記ユニット位置決め調整部を複数設けたことを特徴とする。
【００１５】
〈構成４〉
波長の異なる複数の光波からなる球面波を放射する光放射用光ファイバ及び該光ファイバと平行に配されて上記球面波の各波長毎に分波されたそれぞれの光波を受光するための複数の受光用光ファイバを有するファイバアレイユニットと、上記光放射用光ファイバの先端部と対向して該ファイバから放射される球面波を受光して該球面波を平行波に変換して所定の角度で出射する光変換用軸ずれ型コリメータレンズと、上記平行波に含まれる上記各波長の光波の内の波長の異なるいずれか１つの光波をそれぞれ選択的に反射させ、残りの光波を透過させる複数のＷＤＭ（波長分割多重）フィルタと、上記各受光用光ファイバの先端部とそれぞれ対向し、上記各ＷＤＭフィルタにより反射させた各光波の内の波長の異なるいずれか１つの光波をそれぞれ受光して集光し上記各受光用光ファイバへ案内する複数の案内用軸ずれ型コリメータレンズを含む分波ユニットとを相互に接合して波長分割多重通信用光分波器を製造する方法であって、上記ファイバアレイユニットと上記分波ユニットとを接合するために対向配置し、上記ファイバアレイユニットに上記光放射用光ファイバと平行に配した位置決め用光ファイバに、外部より光量測定のための所定波長の光波を供給し、上記分波ユニットに上記位置決め用光ファイバの先端部と対向して設けた位置決め用コリメータレンズにより、上記位置決め用光ファイバから出射された光量測定用光波である球面波を平行波に変換すると共に、上記位置決め用コリメータレンズより出射された上記平行波を上記分波ユニットに設けた反射部により上記位置決め用コリメータレンズに反射し、該位置決め用コリメータレンズにより受光した反射光を集光して上記位置決め用光ファイバに戻し、戻した該反射光の光量を測定し、上記ファイバアレイユニットと上記分波ユニットとの接合の位置決めを行うことを特徴とする。
【００１６】
〈構成５〉
構成４に記載の波長分割多重通信用光分波器の製造方法において、上記反射部は上記各ＷＤＭフィルタの内の少なくとも１つであることを特徴とする。
【００１７】
〈構成６〉
構成４に記載の波長分割多重通信用光分波器の製造方法において、上記ファイバアレイユニットと上記分波ユニットとの接合の位置決めを複数箇所で行うことを特徴とする。
【００１８】
〈構成７〉
個々に波長の異なる単一波長の光波からなる球面波を放射する複数の光放射用光ファイバ及び該光ファイバと平行に配されて波長の異なる上記各単一波長の光波を複数合波して受光するための受光用光ファイバを有するファイバアレイユニットと、上記各光放射用光ファイバの先端部とそれぞれ対向して該各ファイバから放射されるそれぞれ波長の異なる単一波長の光波である球面波を受光して該球面波をそれぞれ平行波に変換して所定の角度で出射する複数の光変換用軸ずれ型コリメータレンズと、上記各単一波長の平行波の内の波長の異なるいずれか１つの平行波をそれぞれ選択的に反射させ、他の異なる波長の平行波を透過させる複数のＷＤＭ（波長分割多重）フィルタと、上記受光用光ファイバの先端部と対向し、上記各ＷＤＭフィルタにより反射され合波された合波光を受光して集光し上記受光用光ファイバへ案内する案内用軸ずれ型コリメータレンズを含む合波ユニットとを備える波長分割多重通信用光合波器であって、上記ファイバアレイユニットに上記各光放射用光ファイバと平行に配され、外部より光量測定のための所定波長の光波が入射される位置決め用光ファイバと、上記合波ユニットに上記位置決め用光ファイバの先端部と対向して配され、該位置決め用光ファイバから出射される光量測定用光波である球面波と同一の光軸を有して該球面波を受光して平行波に変換する位置決め用コリメータレンズと、上記合波ユニットに設けられ、上記平行波を上記位置決め用光ファイバに光量測定のために戻すべく上記位置決め用コリメータレンズに反射する反射部とを含むユニット位置決め調整部を、更に備えることを特徴とする。
【００１９】
〈構成８〉
構成７に記載の波長分割多重通信用光合波器において上記反射部は上記各ＷＤＭフィルタの内の少なくとも１つであることを特徴とする。
【００２０】
〈構成９〉
構成７に記載の波長分割多重通信用光合波器において上記ユニット位置決め調整部を複数設けたことを特徴とする。
【００２１】
〈構成１０〉
個々に波長の異なる単一波長の光波からなる球面波を放射する複数の光放射用光ファイバ及び該光ファイバと平行に配されて波長の異なる上記各単一波長の光波が複数合波された合波光を受光するための受光用光ファイバを有するファイバアレイユニットと、上記各光放射用光ファイバの先端部とそれぞれ対向して該各ファイバから放射されるそれぞれ波長の異なる単一波長の光波である球面波を受光して該球面波をそれぞれ平行波に変換して所定の角度で出射する複数の光変換用軸ずれ型コリメータレンズと、上記各単一波長の平行波の内の波長の異なるいずれか１つの平行波をそれぞれ選択的に反射させ、他の異なる波長の平行波を透過させる複数のＷＤＭ（波長分割多重）フィルタと、上記受光用光ファイバの先端部と対向し、上記各ＷＤＭフィルタにより反射され合波された合波光を受光して集光し上記受光用光ファイバへ案内する案内用軸ずれ型コリメータレンズを含む合波ユニットとを相互に接合して波長分割多重通信用光合波器を製造する方法であって、上記ファイバアレイユニットと上記合波ユニットとを接合するために対向配置し、上記ファイバアレイユニットに上記各光放射用光ファイバと平行に配した位置決め用光ファイバに、外部より光量測定のための所定波長の光波を供給し、上記合波ユニットに上記位置決め用光ファイバの先端部と対向して設けられた位置決め用コリメータレンズにより、上記位置決め用光ファイバから出射された光量測定用光波である球面波を受光して平行波に変換して出射すると共に、上記合波ユニットに設けられた反射部により上記平行波を上記位置決め用コリメータレンズに反射し、該位置決め用コリメータレンズにより受光した反射光を焦光して上記位置決め用光ファイバに戻し、該戻した反射光の光量を測定し、上記ファイバアレイユニットと上記合波ユニットとの接合の位置決めを行うことを特徴とする。
【００２２】
〈構成１１〉
構成１０に記載の波長分割多重通信用光合波器の製造方法において、上記反射部は上記各ＷＤＭフィルタの内の少なくとも１つであることを特徴とする。
【００２３】
〈構成１２〉
構成１０に記載の波長分割多重通信用光合波器の製造方法において、上記ファイバアレイユニットと上記分波ユニットとの接合の位置決めを複数箇所で行うことを特徴とする。
【００２４】
〈作用〉
上記ユニット位置決め調整部は、上記放射用光ファイバと上記変換用軸ずれ型コリメータレンズとの光軸、及び上記案内用軸ずれ型コリメータレンズと該案内用軸ずれ型コリメータレンズに対応する受光用光ファイバとの光軸が一致したときに上記位置決め用光ファイバと位置決め用コリメータレンズとの光軸が一致する位置に配置されている。従って、上記ユニット位置決め調整部において反射光のピーク値を得ることによって分波ユニット又は、合波ユニットとファイバアレイユニットとの接合面の平行が保証され、且つ、両ユニット同士の位置決めを精度よく行うことができる。
【００２５】
【発明の実施の形態】
以下、本発明の実施の形態を具体例を用いて説明する。一例として波長λ１、λ２、λ３、λ４の４波からなる合波光を受け入れて、波長λ１、λ２、λ３、λ４の光波にそれぞれ分波する場合について説明する。
【００２６】
〈具体例の構成〉
図１は、本発明による波長分割多重通信用光分波器の構成図である。
図１より、本発明による波長分割多重通信用光分波器は、光ファイバ１−１〜１−７を含むファイバアレイユニット４０と、軸ずれ型コリメータレンズ２−１〜２−５、コリメータレンズ３−１、３−２、ＷＤＭフィルタ（λ１）４−１、ＷＤＭフィルタ（λ２）４−２、ＷＤＭフィルタ（λ３）４−３、ＷＤＭフィルタ（λ４）４−４、光伝搬媒体６−１〜６−５を含む分波ユニット５０とを備える。尚、ファイバアレイユニット４０としては、一般的な光ファイバコネクタ、例えばＭＴコネクタあるいはそれに準じた構成のものや、Ｖ溝付き基板のＶ溝に光ファイバを実装した構成のものなどとすることができる。
【００２７】
光伝搬媒体６−１の上方には、光ファイバ１−１〜１−７が、相互に所定の間隔を置いて平行に配置されている。図１にも示すように各光ファイバは、１−６、１−１、１−２、１−３、１−４、１−５、１−７の順に配置されている。光伝搬媒体６−１と光伝搬媒体６−２の間には軸ずれ型コリメータレンズ２−１〜２−５及びコリメータレンズ３−１、３−２が配置されている。軸ずれ型コリメータレンズ及びコリメータレンズの焦点は、対応する各光ファイバ１−１〜１−７の先端のコア部に一致するように配置される。
【００２８】
光伝搬媒体６−２と光伝搬媒体６−３の間にはＷＤＭフィルタ（λ１）４−１が配置されている。光伝搬媒体６−３と光伝搬媒体６−４の間にはＷＤＭフィルタ（λ２）４−２が配置されている。光伝搬媒体６−４と光伝搬媒体６−５の間にはＷＤＭフィルタ（λ３）４−３が配置されている。光伝搬媒体６−５の下方にはＷＤＭフィルタ（λ４）４−４が配置されている。
【００２９】
光ファイバ１−６とコリメータレンズ３−１、光ファイバ１−７とコリメータレンズ３−２は、本願のユニット位置決め調整部を構成している。
上記光ファイバ１−１と上記軸ずれ型コリメータレンズ２−１との光軸、及び上記軸ずれ型コリメータレンズ２−２〜２−５と該軸ずれ型コリメータレンズに対応する光ファイバ１−２〜１−５との光軸が一致するようにこれらの部材が各ユニットに配されている。
【００３０】
光ファイバ１−１は、波長λ１、λ２、λ３、λ４の４波からなる合波光を受け入れて、その出力端のコア部から球面波７−１を放射する放射用光ファイバである。一例としてシングルモード光ファイバが用いられる。
【００３１】
即ち、光ファイバ１−１は、光ネットワークから、波長λ１、λ２、λ３、λ４の４波からなる光多重信号（合波光）を受け入れる。そして、凸レンズの焦点から光が放射されるように光ファイバ１−１の先端のコア部からは、球面波７−１が放射され、軸ずれ型コリメータレンズ２−１に向かって光伝搬媒体６−１中を進行する。
光ファイバ１−２〜１−５は、複数の光波（ここではλ１、λ２、λ３、λ４の４波）からなる合波光が各波長毎に分波された後の光波を別々に受け入れる部分である。このように分波された光波は、単一の光波が伝搬されている光ネットワークに送られる。
【００３２】
軸ずれ型コリメータレンズ２−１は、光ファイバ１−１から放射される合波光である球面波７−１を受け入れると、この球面波７−１を所定の角度で斜めに進行する平行波とする変換用軸ずれ型コリメータレンズである。
このように平行波に変換された合波光はＷＤＭフィルタ（λ１）４−１に向かって光伝搬媒体６−２中を進行する。
【００３３】
軸ずれ型コリメータレンズ２−２は、光伝搬媒体６−２中を進行してきた合波光の中からＷＤＭフィルタ（λ１）４−１により反射された波長λ１の光波を斜め方向から受け入れて集光し、上記光ファイバ１−２の先端のコア部へ入射させる案内用軸ずれ型コリメータレンズである。
【００３４】
軸ずれ型コリメータレンズ２−３は、ＷＤＭフィルタ（λ１）４−１を透過した波長λ２、λ３、λ４の３波の合波光の中からＷＤＭフィルタ（λ２）４−２により反射された後、再度ＷＤＭフィルタ（λ１）４−１を透過した波長λ２の光波を斜め方向から受け入れて集光し、上記光ファイバ１−３の先端のコア部へ入射させる案内用軸ずれ型コリメータレンズである。
【００３５】
軸ずれ型コリメータレンズ２−４は、ＷＤＭフィルタ（λ２）４−２を透過した波長λ３、λ４の合波光の中からＷＤＭフィルタ（λ３）４−３により反射された後、再度ＷＤＭフィルタ（λ２）４−２、ＷＤＭフィルタ（λ１）４−１を透過した波長λ３の光波を斜め方向から受け入れて集光し、上記光ファイバ１−４の先端のコア部へ入射させる案内用軸ずれ型コリメータレンズである。
【００３６】
軸ずれ型コリメータレンズ２−５は、ＷＤＭフィルタ（λ３）４−３を透過し、ＷＤＭフィルタ（λ４）４−４により反射された後、再度ＷＤＭフィルタ（λ３）４−３、ＷＤＭフィルタ（λ２）４−２、ＷＤＭフィルタ（λ１）４−１を透過した波長λ４の光波を斜め方向から受け入れて集光し、上記光ファイバ１−５の先端のコア部へ入射させる案内用軸ずれ型コリメータレンズである。
尚、上記軸ずれ型コリメータレンズ２−１〜２−５及びコリメータレンズ３−１、３−２は、一例として特願平０９−１１５２７２号に示すように計算機ホログラム（ＣＧＨ）の手法を用いれば、容易にフォトリソグラフィー精度で相対的な位置を保証したＣＧＨ素子として製造することができる。これらのコリメータレンズをＣＧＨ素子で構成する場合、各ＣＧＨ素子は、光伝搬媒体６−１及び６−２の対向する面において、光伝搬媒体６−１若しくは６−２の何れかの表面に形成される。この場合光伝搬媒体６−１と光伝搬媒体６−２との間は、例えばＵＶ硬化型接着剤、熱硬化型接着剤などの接着剤を用いるか、又は、その他の適切な接合手法を用いて接合することができる。この接合に接着剤を用いる場合には、レンズ以外の箇所で接着することが好ましい。
尚、上記軸ずれ型コリメータレンズ２−１〜２−５及びコリメータレンズ３−１、３−２をモールド成型により製造した屈折型レンズで構成するか、又は、イオン交換等の技術を用いて製造された屈折率分布型レンズで構成することもできる。
【００３７】
ＷＤＭフィルタ（λ１）４−１は、上記軸ずれ型コリメータレンズ２−１により平行波に変換された波長λ１、λ２、λ３、λ４の４波の合波光を所定の入射角で受け入れて、波長λ１の光波を選択して反射させ、残りの波長λ２、λ３、λ４の３波の合波光からなる平行波を透過させる光フィルタである。このフィルタによって反射された光波（λ１）は、軸ずれ型コリメータレンズ２−２へ向かう。また、透過した波長λ２、λ３、λ４の３波の合波光からなる平行波は次段のＷＤＭフィルタ（λ２）４−２へ向かって光伝搬媒体６−３中を進行する。
【００３８】
ＷＤＭフィルタ（λ２）４−２は、上記ＷＤＭフィルタ（λ１）４−１を透過してきた波長λ２、λ３、λ４の３波の合波光からなる平行波を所定の入射角で受け入れて波長λ２の光波を選択して反射させ、残りの波長λ３、λ４の合波光からなる平行波を透過させる光フィルタである。このフィルタによって反射された光波（λ２）は、軸ずれ型コリメータレンズ２−３へ向かう。また透過した波長λ３、λ４の合波光からなる平行波はＷＤＭフィルタ（λ３）４−３へ向かって光伝搬媒体６−４中を進行する。
【００３９】
ＷＤＭフィルタ（λ３）４−３は、上記ＷＤＭフィルタ（λ２）４−２を透過してきた波長λ３、λ４の２波の合波光からなる平行波を所定の入射角で受け入れて波長λ３の光波を選択して反射させ、残りの波長λ４の光波を透過させる光フィルタである。このフィルタによって反射された光波（λ３）は、軸ずれ型コリメータレンズ２−４へ向かう。また波長λ４の光波は透過してＷＤＭフィルタ（λ４）４−４へ向かって光伝搬媒体６−５中を進行する。
【００４０】
ＷＤＭフィルタ（λ４）４−４は、上記ＷＤＭフィルタ（λ３）４−３を透過してきた波長λ４の単波光からなる平行波を所定の入射角で受け入れて軸ずれ型コリメータレンズ２−５に向けて反射させる。
上記各ＷＤＭフィルタ（λ１）４−１〜（λ４）４−４は、誘電体薄膜を積層した誘電体多層膜などによって作製でき、所定の光伝搬媒体の表面に被着させることができる。この光伝搬媒体のＷＤＭフィルタの被着面と、これに接する他の光伝搬媒体の表面とは、例えば、前述と同様の接着剤を用いるか、又は、その他の適切な接合手法を用いて接合することができる。
尚、ＷＤＭフィルタ（λ４）４−４に代えて、金属膜を蒸着させることによって形成したミラー（反射鏡）を用いることもできる。この金属膜としては、例えばアルミ膜単独、クロム膜単独、あるいは下地としてのクロム膜上に金の膜を設けた積層膜などとすることができる。
【００４１】
光伝搬媒体６−１〜６−５は、光波を伝搬させる部分であり、石英ガラス等の光学基板（一例として厚さ１．５ｍｍ程度）が用いられる。
さて、上記両側の光ファイバ１−６、１−７、コリメータレンズ３−１、３−２は、上記したように、本発明のユニット位置決め調整部を構成している。
【００４２】
両側の光ファイバ１−６、１−７は、波長λ０（任意の波長）を有する光軸位置決め光を、位置決め測定器（図示せず）から受け入れて、その出力端（先端）のコア部から波長λ０の球面波７−６、７−７をそれぞれ放射し、かつ反射部より反射されて戻ってくる波長λ０の球面波７−６、７−７をそれぞれの先端のコア部より受け入れて位置決め測定器（図示せず）へ戻す位置決め用光ファイバである。この光ファイバ１−６、１−７としては、通常シングルモード光ファイバが用いられる。
【００４３】
コリメータレンズ３−１、３−２は、上記光ファイバ１−６、１−７の先端のコア部からそれぞれ放射される波長λ０の球面波７−６、７−７を受光すると、この球面波を該球面波の光軸と同一方向への平行波８−１、８−２に変換するとともに反射部で反射された該平行波８−１、８−２の反射光を受け入れて集光し、上記光ファイバ１−６、１−７へ戻すための位置決め用コリメータレンズである。
【００４４】
上記説明中の反射部とは、反射光を生成する部分であり、ＷＤＭフィルタ４−１〜４−４の内の少なくとも１つがこの役目を果たす。
尚、上記コリメータレンズ３−１、３−２も同様に、前述したように、計算機ホログラム（ＣＧＨ）の手法を用いれば、容易にフォトリソグラフィー精度で相対的な位置を保証したＣＧＨ素子として製造することができる。
【００４５】
〈具体例の動作〉
最初に本発明の光分波器の基本動作について説明し、その後にユニット位置決め調整部の動作について説明する。
以上説明した構成を有する波長分割多重通信用光分波器に波長λ１＝１．３４μｍ、λ２＝１．３２μｍ、λ３＝１．３０μｍ、λ４＝１．２８μｍの４波が合波された光多重信号（合波光）が光ネットワークを介して光ファイバ１−１に送られてきたと仮定する。
【００４６】
この合波光（λ１、λ２、λ３、λ４）は、光ファイバ１−１の先端のコア部より球面波７−１となって放射され光伝搬媒体６−１を通って軸ずれ型コリメータレンズ２−１に入射し、この軸ずれ型コリメータレンズ２−１により斜め方向への平行波８−３に変換される。この平行波８−３は、途中ＷＤＭフィルタ（λ１）４−１、ＷＤＭフィルタ（λ２）４−２、ＷＤＭフィルタ（λ３）４−３でそれぞれ所定の波長の光波を選択的に反射させながら光伝搬媒体（６−２、６−３、６−４、６−５）を通ってＷＤＭフィルタ（λ４）４−４へ直進する。
【００４７】
即ち、ＷＤＭフィルタ（λ１）４−１では、波長λ１の光波が、入射角＝反射角の関係を維持しつつ光伝搬媒体６−２を通って軸ずれ型コリメータレンズ２−２に向けて反射される。一方、残り３波の合波光（λ２、λ３、λ４）は、ＷＤＭフィルタ（λ１）４−１を透過してＷＤＭフィルタ（λ２）４−２へ向かって光伝搬媒体６−３を直進する。
【００４８】
ＷＤＭフィルタ（λ１）４−１で反射された波長λ１の光波は、軸ずれ型コリメータレンズ２−２に入射され光伝搬媒体６−１中で光ファイバ１−２の先端のコア部に集光される。この光波は、波長λ１単一の光波が伝搬されている光ネットワークに送られる。
【００４９】
一方、ＷＤＭフィルタ（λ１）４−１を透過した残り３波の合波光（λ２、λ３、λ４）は、光伝搬媒体６−３を通ってＷＤＭフィルタ（λ２）４−２に到達する。ここで波長λ２の光波は、反射されて軸ずれ型コリメータレンズ２−３へ向かう。一方残り２波の合波光（λ３、λ４）は、ＷＤＭフィルタ（λ２）４−２を透過して光伝搬媒体６−４中をＷＤＭフィルタ（λ３）４−３へ向かう。
【００５０】
軸ずれ型コリメータレンズ２−３へ向かった波長λ２の光波は、上記波長λ１の光波と同様に、軸ずれ型コリメータレンズ２−３で光ファイバ１−３先端のコア部に集光され、波長λ２単一の光波が伝搬されている光ネットワークに送られる。一方合波光（λ３、λ４）は、ＷＤＭフィルタ（λ２）４−２を透過して光伝搬媒体６−４中をＷＤＭフィルタ（λ３）４−３へ向かう。
【００５１】
ＷＤＭフィルタ（λ３）４−３で波長λ３の光波は反射し、波長λ４の光波は透過する。上記λ１、λ２と同様にして波長λ３の光波は軸ずれ型コリメータレンズ２−４で光ファイバ１−４先端のコア部に集光されて、波長λ３の単一の光波が伝搬されている光ネットワークに送られる。一方、波長λ４の光波は光伝搬媒体６−５中をＷＤＭフィルタ（λ４）４−４へ向かう。
【００５２】
そして、波長λ４の光波は、ＷＤＭフィルタ（λ４）４−４で反射され光伝搬媒体（６−５、６−４、６−３、６−２）を通って軸ずれ型コリメータレンズ２−５へ向かう。この光波（λ４）は、軸ずれ型コリメータレンズ２−５によって光ファイバ１−５の先端のコア部に集光され、波長λ４単一の光波が伝搬されている光ネットワークに送られる。
【００５３】
上記の光分波器としての基本動作説明は、本発明による波長分割多重通信用光分波器が設計値通りに正確に構成されていることを前提にしている。一方、一例としてシングルモード光ファイバを用いて構成された場合に、そのコアの半径は約６ミクロン以下と細い。従って、分波ユニットとファイバアレイユニットとの間の位置合わせにおいて許容される位置誤差は上記コアの半径６ミクロンに比して無視できる値でなければならない。かかる事情から光軸位置決め調整部が必要になってくる。
【００５４】
次に、ユニット位置決め調整部の動作、即ち位置の微調整について説明する。
上記光ファイバ１−６に図示しない位置決め測定器（仮称）が接続される。この位置決め測定器は、光信号発生器と受光器の両機能を備える測定器である。例えばハーフミラー等を用いて光量測定用の光波を上記光ファイバ１−６へ送り、同時にその反射光を光ファイバ１−６で受光した後、受光器で受光して光量の測定を行う。また、光ファイバ１−７側に関しても同様の手法で光量の測定を行う。これらの光量の測定は同時又は順次のいずれでもよい。
【００５５】
この計測において、ファイバアレイユニット４０と分波ユニット５０とが正確に所定の接合位置に平行に配置されていると、上記光ファイバ１−６とコリメータレンズ３−１、との光軸は直線上に一致する。同様に光ファイバ１−７とコリメータレンズ３−２との光軸も、直線上に一致している。一方、分波ユニット５０と、ファイバアレイユニット４０とが若干角度（θ度）を有して非平行に配置されている場合（図２参照）には、前述の両光軸が直線上に一致せず反射光の光量が極端に減衰する。従って、受光量のピーク点を検出することによってファイバアレイユニット４０と、分波ユニット５０との接合面の平行を保証して位置決めを確定し、相互に接合することができる。この接合は、例えば、前述と同様の接着剤を用いた接合、あるいはガイドピンを用いた接合、あるいはその他の適切な接合手法を用いて行うことができる。
【００５６】
上記実施例のように、一対のユニット位置決め調整部を設ける構成とすれば、前述のファイバアレイユニットと分波ユニットの接合面の平行配置及び位置決めをより精度よく行うことができると共にファイバアレイユニット４０と分波ユニット５０とが厚さ方向に、たわみ等による位置ずれが生じていても位置微調整を正確に行うことができるので、より好ましい。
上記実施例では、一対のユニット位置決め調整部を設けた構成としているが、一対ではなく、少なくとも一方のユニット位置決め調整部のみを設けた構成としても、接合面の平行を保証し、且つ、良好な位置決めを行うことができる。但し、この場合には、ある任意の一つの光路（例えば光ファイバ１−１から、コリメータレンズ２−１、ＷＤＭフィルタ（λ４）４−４、コリメータレンズ２−５等を通って光ファイバ１−５に至る光路等）を通る光の光量もモニタして、光量のピーク位置で両ユニットを接合する必要が出てくるが、それにより他の光路においても光量はピーク値を示すように位置決めされる。
【００５７】
更に、上記実施例ではユニット位置決め調整部で使用する光波の所定波長を任意波長λ０としているが、波長λ１、λ２、λ３、λ４の光波であっても良く、更にはそれらの合波であっても良い。但し、λ４の波長の光源を用いれば、ＷＤＭフィルタ４−１〜４−３を通過した光波の全てがＷＤＭフィルタ（λ４）４−４で反射され、伝搬光路が最長となるので、位置微調整を最も精度よく実現することができる。尚、ＷＤＭフィルタ（λ４）４−４に代えて前述のミラー（反射鏡）を用いた場合には、波長λ１、λ２、λ３以外の波長の光源を用いることにより、前述と同様に、伝搬光路が最長となるので、この場合も最も精度の良い位置微調整を実現することができる。
【００５８】
更に、位置決めに用いる光波の波長をＷＤＭフィルタの透過光の波長に対応させてλ１、λ２、λ３、λ４と変化させることによって、各々の波長に対応する光伝搬媒体６−１、６−２、６−３、６−４、６−５の平行度を独立して評価することも可能になる。
尚、本製品の製造工程中では、分波ユニット５０、及びファイバアレイユニット４０ともレンズの光軸あるいは又ファイバの埋め込み方向が接合面と完全に直角にならない不良品の発生も予想される。かかる場合の不良品の検出にも本発明が有効に機能することになる。
【００５９】
上記の説明では、光ファイバ１−１に合波光（λ１、λ２、λ３、λ４）を入力して、光ファイバ１−２から波長λ１の光波を、光ファイバ１−３から波長λ２の光波を、光ファイバ１−４から波長λ３の光波を、光ファイバ１−５から波長λ４の光波を、それぞれ分波して出力する分波器の機能のみについて説明した。
【００６０】
しかし、本発明は、この場合のみに限定されるものではない。光ファイバ１−２の先端のコア部から波長λ１の光波を、光ファイバ１−３の先端のコア部から波長λ２の光波を、光ファイバ１−４の先端のコア部から波長λ３の光波を、光ファイバ１−５の先端のコア部から波長λ４の光波を、それぞれ球面波として放射することによって、光ファイバ１−１から４波合波された合波光（λ１、λ２、λ３、λ４）を得るための合波器として動作させることもできる。
【００６１】
即ち、波長λ１、λ２、λ３、λ４の各々の単一波長の光波は、それぞれ軸ずれ型コリメータレンズ２−２〜２−５（請求項中の光変換用の軸ずれ型コリメータレンズ）によって平行波に変換される。波長λ１の光波はＷＤＭフィルタ（λ１）４−１で、波長λ２の光波はＷＤＭフィルタ（λ２）４−２で、波長λ３の光波はＷＤＭフィルタ（λ３）４−３で、波長λ４の光波はＷＤＭフィルタ（λ４）４−４で、それぞれ反射されて波長λ１、λ２、λ３、λ４の４波が合波された平行波になる。
【００６２】
この平行波は、波長λ１、λ２、λ３、λ４の４波が合波された状態で軸ずれ型コリメータレンズ２−１（請求項中の案内用軸ずれ型コリメータレンズ）へ向かい、軸ずれ型コリメータレンズ２−１で集光されて光ファイバ１−１の先端のコア部に入射される。合波器のかかる動作は、前述の分波器の場合と光波の進行方向が全く逆になるのみであり構成は両者全く同一である。
尚、この合波器の場合も、分波器の場合と同様に、ＷＤＭフィルタ（λ４）４−４に代えて、前述のミラー（反射鏡）を設けてもよい。
【００６３】
【発明の効果】
以上詳細に説明したように、本発明によれば、ファイバアレイユニットに光放射用光ファイバと平行に配され、外部より光量測定のための所定波長の光波が入射される位置決め用光ファイバと、分波ユニット（又は合波ユニット）に位置決め用光ファイバの先端部と対向して配され、該位置決め用光ファイバから出射される光量測定用光波である球面波と同一の光軸を有し、該球面波を受光して平行波に変換する位置決め用コリメータレンズと、上記分波ユニット（又は合波ユニット）に設けられ、上記位置決め用コリメータレンズより出射された上記平行波を上記位置決め用光ファイバに光量測定のために戻すべく上記位置決め用コリメータレンズに向けて反射させる反射部とを含むユニット位置決め調整部を備え、上記位置決め用光ファイバに外部より光量測定のための所定波長の光波を入射し、その反射光の光量を測定し、上記ファイバアレイユニットと上記分波ユニット（又は合波ユニット）との位置決め及び接合を行うようにしており、上記ユニット位置決め調整部によって反射光の光量のピーク値を得ることによって分波ユニット（又は合波ユニット）とファイバアレイユニットとの接合面を平行に配置して接合し、且つ、両ユニット同士を精度よく位置決めすることができるという効果を有する。
更に、ユニット位置決め調整部を複数備えることによって、前述の両ユニットの接合面の平行配置及び位置決めをより精度よく行うことができると共にファイバアレイユニットと分波ユニット（又は合波ユニット）の厚さ方向にたわみ等による位置ずれが生じていても位置微調整を正確に実行することができるという効果を有する。
【図面の簡単な説明】
【図１】本発明による波長分割多重通信用光分波器の構成図である。
【図２】位置合わせにおける主な問題点説明図である。
【図３】従来の波長分割多重通信用光分波合波器の構成図である。
【符号の説明】
１−１〜１−７　光ファイバ
２−１〜２−５　軸ずれ型コリメータレンズ
３−１　コリメータレンズ
３−２　コリメータレンズ
４−１　ＷＤＭフィルタ（λ１）
４−２　ＷＤＭフィルタ（λ２）
４−３　ＷＤＭフィルタ（λ３）
４−４　ＷＤＭフィルタ（λ４）
６−１〜６−５　光伝搬媒体
７−１　合波光球面波
７−２〜７−５　単波光球面波
７−６　任意波長光球面波
７−７　任意波長光球面波
４０　ファイバアレイユニット
５０　分波ユニット
【図１】
2004085860.tif 000003
【図２】
2004085860.tif 000004
【図３】
2004085860.tif 000005